(57)【特許請求の範囲】
【請求項１】
管状の放電路の長手方向中央部を始点として同一平面に沿って２重渦巻状に旋回された発光管を有する平面らせん形蛍光灯の、当該発光管の両端部に設けられた一対の口金から、前記放電管の軸方向に沿って突出し前記平面に直交する方向に配設された一対のランプピンを保持して電力を供給するランプソケットであって、
前記一対のランプピンを前記平面に直交する方向へ挿入可能であり、かつ前記平面に直交する方向に開口しているランプピン挿入溝と、前記ランプピン挿入溝の内部に設けられ前記一対のランプピンをそれぞれ保持する一対の導電板と、を有し、
前記一対のランプピンのうちの、前記ランプソケットに保持されたときに前記開口している部分に近い方のランプピンを手前側ランプピンとし、前記開口している部分から遠い方のランプピンを挿入方向奥側ランプピンとしたとき、
前記一対の導電板が、
前記手前側ランプピンの外周曲面を、前記ランプピン挿入溝内の壁面から前記ランプピン挿入溝の内部方向に向かう押付力でもって付勢しつつ、前記外周曲面に当接して保持する形状部分をもつ、前記ランプピン挿入溝内の壁面上に設けられた立体的な保持構造を有する手前側導電板と、
前記挿入方向奥側ランプピンの外周曲面を、前記ランプピン挿入溝内の壁面から前記ランプピン挿入溝の内部方向に向かう押付力でもって付勢しつつ、前記外周曲面に当接して保持する形状部分をもつ、前記ランプピン挿入溝内の壁面上に設けられた立体的な保持構造を有する挿入方向奥側導電板と、
を備えており、
前記手前側導電板の前記押付力は、前記平面らせん形蛍光灯の重量を保持できる強さを有するように、かつ、前記挿入方向奥側導電板の前記押付力よりも大きくなるように設定されており、
前記挿入方向奥側導電板の前記押付力は、前記挿入方向奥側ランプピンと確実に導通がとれるように、かつ前記手前側導電板の前記押付力よりも小さくなるように設定されていることを特徴とするランプソケット。
【請求項２】
前記挿入方向奥側導電板には、ランプピンの前記挿入を停止させるストッパ部となる形状の部分が設けられていることを特徴とする請求項１に記載のランプソケット。
【請求項３】
管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、
前記ランプピンと電気的に接続されて前記蛍光ランプに電力を供給するランプソケットと、
前記ランプソケットを介して前記蛍光ランプを保持する器具本体と、を備えた照明器具であって、
前記ランプソケットが、請求項１または２に記載のランプソケットであることを特徴とする照明器具。
【発明の詳細な説明】
【技術分野】
【０００１】
本発明は、平面らせん形蛍光灯のランプピンを保持して電力を供給するランプソケットおよびこのランプソケットを用いた照明器具に関するものである。
【背景技術】
【０００２】
従来より、ランプのランプピンを保持して電力を供給するためにランプソケットが用いられている（例えば特許文献１参照）。
図４に示すように、特許文献１に記載のランプソケット１００は、ランプ１０１を保持して電力を供給するものであり、ランプ口金１０２に当接する受金面１０３に、一端が外周面１０４に開口し、ランプピン１０５が挿入可能なランプピン挿入溝１０６が設けられている。このランプピン挿入溝１０６の内部には、開口側と反開口側に、互いに異極の導電端子１０７、１０８が設けられている。
【０００３】
従って、ランプ１０１のランプピン１０５をランプソケット１００のランプピン挿入溝１０６に沿って挿入し、一対のランプピン１０５をランプピン挿入溝１０６内部の導電端子１０７、１０８に押し込むことにより容易にランプ１０１をランプソケット１００に装着することができる。
【特許文献１】特開平１０−１４４４３２号公報（第１図）
【発明の開示】
【発明が解決しようとする課題】
【０００４】
なお、前述した特許文献１に記載のランプソケット１００によってランプピン１０５が水平になるような状態でランプ１０１を支持する場合には、ランプ１０１が脱落するおそれがあるため係止爪（図示省略）が設けられているが、ランプ１０１の脱落を防止するには不十分であった。
【０００５】
このため、平面らせん形蛍光灯を水平に保持する場合には、例えば図５に示すランプソケット１１０ように、ランプピン１０５の脱落を防止するために、ランプピン挿入溝１１１の入り口を閉じる開閉蓋１１２が設けられているものが用いられている。しかしながら、このようなランプソケット１１０では、ランプピン１０５を挿入した後に、開閉蓋１１２を閉じるという動作が要求され面倒であるという問題があった。
【０００６】
本発明は、従来の問題を解決するためになされたもので、ランプピンを挿入するだけでランプを確実に保持することができるランプソケットを提供することを目的とする。
【課題を解決するための手段】
【０００７】
本発明のランプソケットは、管状の放電路の長手方向中央部を始点として同一平面に沿って２重渦巻状に旋回された発光管を有する平面らせん形蛍光灯の、当該発光管の両端部に設けられた一対の口金から、前記放電管の軸方向に沿って突出し前記平面に直交する方向に配設された一対のランプピンを保持して電力を供給するランプソケットであって、前記一対のランプピンを前記平面に直交する方向へ挿入可能であり、かつ前記平面に直交する方向に開口しているランプピン挿入溝と、前記ランプピン挿入溝の内部に設けられ前記一対のランプピンをそれぞれ保持する一対の導電板と、を有し、前記一対のランプピンのうちの、前記ランプソケットに保持されたときに前記開口している部分に近い方のランプピンを手前側ランプピンとし、前記開口している部分から遠い方のランプピンを挿入方向奥側ランプピンとしたとき、前記一対の導電板が、前記手前側ランプピンの外周曲面を、前記ランプピン挿入溝内の壁面から前記ランプピン挿入溝の内部方向に向かう押付力でもって付勢しつつ、前記外周曲面に当接して保持する形状部分をもつ、前記ランプピン挿入溝内の壁面上に設けられた立体的な保持構造を有する手前側導電板と、前記挿入方向奥側ランプピンの外周曲面を、前記ランプピン挿入溝内の壁面から前記ランプピン挿入溝の内部方向に向かう押付力でもって付勢しつつ、前記外周曲面に当接して保持する形状部分をもつ、前記ランプピン挿入溝内の壁面上に設けられた立体的な保持構造を有する挿入方向奥側導電板と、を備えており、前記手前側導電板の前記押付力は、前記平面らせん形蛍光灯の重量を保持できる強さを有するように、かつ、前記挿入方向奥側導電板の前記押付力よりも大きくなるように設定されており、前記挿入方向奥側導電板の前記押付力は、前記挿入方向奥側ランプピンと確実に導通がとれるように、かつ前記手前側導電板の前記押付力よりも小さくなるように設定されている。
【０００８】
また、本発明のランプソケットは、前記挿入方向奥側導電板には、ランプピンの前記挿入を停止させるストッパ部となる形状の部分が設けられている。
【０００９】
また、本発明の照明器具は、管状の放電路が長手方向中央部を中心として略同一平面に沿って２重渦巻状に旋回された発光管と、前記発光管の両端部にそれぞれ設けられた一対の口金と、前記口金に設けられて前記発光管の軸方向に沿って延びるランプピンと、前記一対の口金間を連結支持するブリッジとを備えた蛍光ランプと、前記ランプピンと電気的に接続されて前記蛍光ランプに電力を供給するランプソケットと、前記ランプソケットを介して前記蛍光ランプを保持する器具本体と、を備えた照明器具であって、前記ランプソケットが、前述したランプソケットである。
【発明の効果】
【００１５】
本発明は、平面らせん形蛍光灯をランプソケットに取付ける際に、平面らせん形蛍光灯の発光管の両端部に設けられた一対の口金から突出している一対のランプピンを、ランプソケットのランプピン挿入溝に挿入し、ランプピン挿入溝の内部に設けられている一対の導電板に一対のランプピンを押し込むだけで保持できるので、簡単に平面らせん形蛍光灯をランプソケットに装着することができるという効果を有するランプソケットを提供することができるものである。
【発明を実施するための最良の形態】
【００１６】
以下、本発明の実施の形態のランプソケットについて、図面を用いて説明する。
図１（Ａ）は本発明の実施の形態にかかるランプソケットの正面図、図１（Ｂ）は側面図、図１（Ｃ）は下面図、図２（Ａ）は平面らせん形蛍光灯の平面図、図２（Ｂ）は図２（Ａ）中Ｂ方向から見た正面図、図３は本発明の実施の形態にかかる照明器具の斜視図である。
【００１７】
図１に示すように、本発明にかかるランプソケット１０は、平面らせん形蛍光灯２０のランプピン２１を保持して電力を供給するものである。
【００１８】
図２に示すように、平面らせん形蛍光灯２０は、管状の放電路が長手方向中央部２２ａを始点として同一平面に沿って２重渦巻状に旋回された発光管２２を有しており、発光管２２の中央部２２ａは、その他の部分に比して太径となっており、最冷点となっている。発光管２２の両端部にはそれぞれ口金２３、２３が取付けられており、両口金２３、２３は、発光管２２の中央部２２ａに対して、点対称の位置に設けられている。なお、両口金２３、２３はブリッジ２４によって連結されている。また、各口金２３、２３には、平面らせん形蛍光灯２０の平面に直交する方向に一対のランプピン２１として、挿入方向奥側ランプピン２１ａおよび手前側ランプピン２１ｂが、発光管２２の軸方向に沿って突出して設けられている。
【００１９】
図１に示すように、ランプソケット１０は、例えば有底円筒形状をした本体１１の前面（図１（Ｂ）において右面）開口にカバー１２が取付けられており、カバー１２にはランプピン２１が通過可能なランプピン挿入溝１３が下方に開口して切りかかれている。本体１１の内部空間には、カバー１２に設けられたランプピン挿入溝１３に沿って、一対のランプピン２１ａ、２１ｂをそれぞれ保持する一対の導電板１４が設けられている。一対の導電板１４は、挿入方向奥側ランプピン２１ａを保持する挿入方向奥側導電板１４ａおよび手前側ランプピン２１ｂを保持する手前側導電板１４ｂを有している。
【００２０】
手前側導電板１４ｂによる手前側ランプピン２１ｂへの押付力は、挿入方向奥側導電板１４ａによる挿入方向奥側ランプピン２１ａへの押付力よりも大きく設定されるのが望ましい。例えば、手前側導電板１４ｂの押付力は、平面らせん形蛍光灯２０の重量を十分に保持できる強さを有し、挿入方向奥側導電板１４ａの押付力は、挿入方向奥側ランプピン２１ａと確実に導通がとれ且つ手前側導電板１４ｂの押付力よりも小さく設定する。なお、押付力の強弱は、導電板１４のばね力を強弱設定することにより可能である。あるいは、ばね力が一定で、導電板１４の隙間（ランプピン２１を挿入する隙間）を大小設定することによっても可能である。
【００２１】
これにより、挿入方向奥側ランプピン２１ａは押付力が強い手前側導電板１４ｂを通過するとともに、手前側ランプピン２１ｂが手前側導電板１４ｂに保持されることになり、平面らせん形蛍光灯２０の脱落を完全に防止することができる。
【００２２】
また、挿入方向奥側導電板１４ａに、挿入方向奥側ランプピン２１ａの挿入を停止させるストッパ部１５を設けるのが望ましい。例えば、挿入方向奥側導電板１４ａを全体Ｃ字形状に形成し、Ｃ字形状の底部をストッパ部１５とすることができる。
【００２３】
以上、説明したランプソケット１０によれば、平面らせん形蛍光灯２０をランプソケット１０に取付ける際に、図１（Ｂ）に示すように、平面らせん形蛍光灯２０の発光管２２の両端部に設けられた一対の口金２３から突出している一対のランプピン２１を、ランプソケット１０のランプピン挿入溝１３に挿入し、ランプピン挿入溝１３の内部に設けられている一対の導電板１４に一対のランプピン２１を押し込むだけで保持できるので、容易に平面らせん形蛍光灯２０をランプソケット１０に装着することができる。このとき、挿入方向奥側ランプピン２１ａがストッパ部１５に当接するまで押し込むことにより、両ランプピン２１は容易且つ完全に導電板１４によって保持されることとなる。また、開閉蓋等を設ける必要がないので、小型化を図ることができる。
【００２４】
図３に示すように、本発明にかかる照明器具３０は、天井や壁等の壁面に固定して使用するものであり、例えば矩形箱状の器具本体３２と、器具本体３２の前面開口を覆う透明あるいは半透明の樹脂等からなるパネル３３を有している。器具本体３２の底板３２ａには、一方の端部寄りに商用交流電源（図示省略）に接続されている点灯装置３４等の電気部品が取付けられており、点灯装置３４等を覆うとともにパネル３３を取付けるための取付板３５が設けられている。パネル３３は、ネジ３３ａを取付板３５のネジ穴３５ａに螺合し、締め付けることにより着脱可能に取付けられる。
【００２５】
また、底板３２ａの中央部および他方の端部よりには、蛍光ランプとしての平面らせん形蛍光灯２０の照明光をパネル３３側に反射して照明効率を向上させる反射板３６が設けられており、反射板３６の上面に、平面らせん形蛍光灯２０を装着するための一対のランプソケット１０、１０が取付けられている。これらランプソケット１０、１０は、電源線（図示省略）によって、点灯装置３４に接続されている。
【００２６】
以上、説明した照明器具３０によれば、前述したランプソケット１０を用いることにより、平面らせん形蛍光灯２０をランプソケット１０に取付ける際に、平面らせん形蛍光灯２０の発光管２２の両端部に設けられた一対の口金２３から突出している一対のランプピン２１を、ランプソケット１０のランプピン挿入溝１３に挿入し、ランプピン挿入溝１３の内部に設けられている一対の導電板１４（図１参照）に一対のランプピン２１を押し込むだけで保持できるので、容易に平面らせん形蛍光灯２０をランプソケット１０に装着することができる。これにより、両ランプピン２１は容易且つ完全に導電板１４によって保持されることとなる。また、開閉蓋等を設ける必要がないので、照明器具３０の小型化を図ることができる。
【００２７】
なお、本発明のランプソケットおよび照明器具は、前述した実施形態に限定されるものでなく、適宜な変形，改良等が可能である。
【図面の簡単な説明】
【００２８】
【図１】（Ａ）は本発明の実施の形態にかかるランプソケットの正面図、（Ｂ）は側面図、（Ｃ）は下面図
【図２】（Ａ）は平面らせん形蛍光灯の平面図、（Ｂ）は（Ａ）中Ｂ方向から見た正面図
【図３】本発明の実施の形態にかかる照明器具の斜視図
【図４】従来のランプソケットの一例を示す斜視図
【図５】従来のランプソケットの別の例を示す斜視図
【符号の説明】
【００２９】
１０  ランプソケット
１３  ランプピン挿入溝
１４  導電板
１４ａ  挿入方向奥側導電板
１４ｂ  手前側導電板
１５  ストッパ部
２０  平面らせん形蛍光灯（蛍光ランプ）
２１  ランプピン
２２  発光管
２３  口金
２４  ブリッジ
３０  照明器具
３２  器具本体
【図１】
0005078088.tif 000002
【図２】
0005078088.tif 000003
【図３】
0005078088.tif 000004
【図４】
0005078088.tif 000005
【図５】
0005078088.tif 000006